(57)【要約】  【課題】  複数の太陽電池ストリングにそれぞれ対応する複数の昇圧回路を備える昇圧接続箱において、パワーコンディショナの許容入力電流を超えないように昇圧接続箱の出力電流を制御する。  【解決手段】  複数の昇圧回路５１，５２，５３のうち最も入力電圧の高い一の昇圧回路５１の昇圧動作を停止させ且つその他の昇圧回路５２，５３を昇圧動作させているときにパワーコンディショナ６が入力電流制限を行っていると判定すると、最も入力電圧の高い一の昇圧回路５１の昇圧動作を開始させ、入力電流制限が解除されるまで徐々に昇圧接続箱の出力電圧を上昇させていくことにより、出力を下げることなく昇圧接続箱の出力電流減少させて入力電流制限を解除させる。【選択図】図１
2016025804.tif 000002
【特許請求の範囲】
【請求項１】
複数の太陽光発電部から入力する発電電力を集電して、入力電流が所定の上限閾値を超えないように入力電流制限を行う所定の電力変換部に出力する太陽光発電システム用昇圧接続装置であって、
各発電部毎に対応して設けられた複数の昇圧回路と、該昇圧回路の昇圧動作を制御する制御部とを備え、該制御部は、前記複数の昇圧回路のうち最も入力電圧の高い一の昇圧回路の昇圧動作を停止させ且つその他の昇圧回路を昇圧動作させているときに前記電力変換部が入力電流制限を行っているか否かを判定する判定手段を備えるとともに、該判定手段の判定結果に基づいて前記一の昇圧回路の昇圧動作を開始させるように構成されていることを特徴とする太陽光発電システム用昇圧接続装置。
【請求項２】
請求項１に記載の太陽光発電システム用昇圧接続装置において、該昇圧接続回路の出力電圧を検出する出力電圧センサと、前記昇圧接続回路の出力電流を検出する出力電流センサとをさらに備え、前記判定手段は、前記出力電圧センサが検出する出力電圧に変動があるが前記出力電流センサが検出する出力電流に変動がないときに前記電力変換部が入力電流制限を行っていると判定することを特徴とする太陽光発電システム用昇圧接続装置。
【請求項３】
請求項１に記載の太陽光発電システム用昇圧接続装置において、前記判定手段は、前記電力変換部の動作を制御する制御部との通信によって取得した情報に基づいて前記電力変換部が入力電流制限を行っているか否かを判定することを特徴とする太陽光発電システム用昇圧接続装置。
【発明の詳細な説明】
【技術分野】
【０００１】
本発明は、複数の太陽光発電部の発電出力を集電するための太陽光発電システム用昇圧接続装置に関する。
【背景技術】
【０００２】
近年、太陽光発電システムにおいて、複数の太陽電池ストリング（発電部）を建物の屋根に設置することにより、大きな総発電出力を得ることが要望されている。この場合、屋根の構造や面積の制限によってすべての太陽電池ストリングを同じ最大出力動作電圧のものとすることができない場合がある。したがって、例えば下記の特許文献１に開示されているように、最大出力動作電圧の異なる複数の太陽電池ストリングを屋根に設置して、最大出力動作電圧の最も高い太陽電池ストリングの出力電圧に合わせて他の太陽電池ストリングの出力電圧を昇圧回路により昇圧させ、これら複数の太陽電池ストリングの出力を並列接続してパワーコンディショナのコンバータに出力している。コンバータは、太陽電池の最大出力が得られるように、ＭＰＰＴ制御によって入力電力が最大となるように入力電流及び入力電圧を制御している。
【０００３】
また、このパワーコンディショナのハードウェア構成上、許容最大入力電流に制限があるため、コンバータの昇圧制御において入力電流が所定の上限閾値を超えないようにリミッタによる入力電流制限機能を設け、入力電流が上限閾値になるとパワーコンディショナの出力電力を増加させないように制限している。かかるコンバータの昇圧制御は、例えば、下記の特許文献２に開示されている。
【先行技術文献】
【特許文献】
【０００４】
【特許文献１】特開２０１３−５０８５０号公報
【特許文献２】国際公開第２００８／０２９７１１号
【発明の概要】
【発明が解決しようとする課題】
【０００５】
図３は、最大出力２０５Ｗ（最大出力動作電圧２４．８Ｖ、最大出力動作電流８．２６Ａ）の太陽電池パネルを６枚直列に接続した第１の太陽電池ストリング（最大出力１２３０Ｗ）と、同じ太陽電池パネルを４枚直列に接続した第２・第３の太陽電池ストリング（最大出力各８２０Ｗ）とを、昇圧接続箱を介してパワーコンディショナに接続して、第２・第３の太陽電池ストリングの出力を第１の太陽電池ストリングの出力電圧に合わせて昇圧回路により昇圧させた場合のパワーコンディショナの入力のＩ−Ｖ特性の変化と、パワーコンディショナの入力の電流制限ライン、電力制限ライン及び電圧制限ラインとの一例を示しており、パワーコンディショナの許容入力電流は１８Ａとされている。
【０００６】
平均的な日照量の時は、最大電力点でのパワーコンディショナの入力電流は許容入力電流未満であるが、５〜６月頃の日照量が年間で最も多くかつ気温が比較的低い日の日中に太陽電池の出力が年間を通じて最大となる。この最大出力時には、第１の太陽電池ストリングの出力電圧は２４．８Ｖ×６＝１４８．８Ｖ、出力電流は８．２６Ａとなり、第２・第３の太陽電池ストリングの出力を昇圧する昇圧回路の出力電流は、（２０５Ｗ×４／１４８．８Ｖ）×９８％（昇圧効率）＝５．３９Ａとなる。従って、昇圧接続箱全体としての出力電流は８．２６Ａ＋５．３９Ａ×２＝１９Ａとなるが、当該電流値はパワーコンディショナの許容入力電流である１８Ａを超えているため、実際には許容入力電流である１８Ａとなる点Ａでリミッターがかかってしまう。このとき、第１〜第３の太陽電池ストリング全体では、最大で１４８．８Ｖ×１９Ａ＝２８７２Ｗの電力を発電可能であるにもかかわらず、１５２Ｖ×１８＝２７３６Ｗしか発電できないこととなってしまい、発電効率の悪い状態となってしまう場合があった。
【０００７】
一方、出力が最大規模となる限られた期間のために大容量のパワーコンディショナを設置することはコストパフォーマンスが悪くなるという問題がある。
【０００８】
そこで、本発明は、複数の太陽電池ストリングの発電電力を集電してパワーコンディショナに出力する太陽光発電システム用昇圧接続装置において、パワーコンディショナの入力電流制限が生じる状況でも可能な限り大きな発電電力を得ることができるようにすることを目的とする。
【課題を解決するための手段】
【０００９】
上記目的を達成するために、本発明は、次の技術的手段を講じた。
【００１０】
すなわち、本発明は、複数の太陽光発電部（例えば太陽電池ストリング）から入力する発電電力を集電して、入力電流が所定の上限閾値を超えないように入力電流制限を行う所定の電力変換部（例えば、直流の発電電力を交流の系統電力に連系する交流電力に変換するパワーコンディショナ）に出力する太陽光発電システム用昇圧接続装置であって、各発電部毎に対応して設けられた複数の昇圧回路と、該昇圧回路の昇圧動作を制御する制御部とを備え、該制御部は、前記複数の昇圧回路のうち最も入力電圧の高い一の昇圧回路の昇圧動作を停止させ且つその他の昇圧回路を昇圧動作させているときに前記電力変換部が入力電流制限を行っているか否かを判定する判定手段を備えるとともに、該判定手段の判定結果に基づいて前記一の昇圧回路の昇圧動作を開始させるように構成されていることを特徴とするものである（請求項１）。
【００１１】
なお、前記他の昇圧回路は、対応する発電部からの入力電力（発電電力）が最大となるようＭＰＰＴ制御するものとするのが好ましく、さらに、前記電力変換部は、本発明の昇圧接続装置からの入力電力が最大となるようＭＰＰＴ制御するものとするのが好ましく、この場合、昇圧接続装置の出力電圧は、前記電力変換部の入力電力のＭＰＰＴ制御によって定まる電圧となる。また、前記複数の昇圧回路の出力側は共通のキャパシタを有する出力部に接続し、集電した電力を該出力部から前記電力変換部に出力することができる。また、前記一の昇圧回路は、スイッチング素子のオンデューティ比を増減させることにより昇圧率を制御可能な昇圧チョッパ回路などによって構成でき、前記スイッチング素子のオン時間が０のとき昇圧動作が停止されて一の昇圧回路の入力電力を昇圧せずに電力変換部に出力し、前記スイッチング素子のオン時間を増加させていくにしたがって電力変換部の入力電力のＩ−Ｖ特性曲線を変化させて電力変換部のＭＰＰＴ制御により昇圧接続装置の出力電圧（電力変換部の入力電圧）が上昇するように構成できる。また、最も入力電圧の高い一の昇圧回路は、予め固定的に設定されていてもよく、また、各発電部の発電状況に応じて最も出力電圧が高くなっている発電部に対応する一の昇圧回路を選択設定するものであってもよい。
【００１２】
かかる本発明の太陽光発電システム用昇圧接続装置によれば、前記一の昇圧回路は、通常動作時には昇圧動作停止して、対応する発電部からの入力電力を昇圧させずに電力変換部に出力するので、出力電圧の高い発電部の発電電力を昇圧させることによる損失がなく、電力効率を可及的に高く維持することができる。一方、制御部の判定手段が、電力変換部において入力電流制限が行われていると判定したときは、前記一の昇圧回路の昇圧動作を開始させる。一の昇圧回路が昇圧動作されると、昇圧接続装置の出力電力のＩ−Ｖ特性が変化して最大電力点の電圧が上昇するとともに最大電力点の電流が減少し、電力変換部の許容入力電流においても昇圧動作前よりも大きな発電電力を得ることができる。
【００１３】
好ましくは、一の昇圧回路の昇圧動作中、前記電力変換部において入力電流制限が行われていると判定手段が判定すると一の昇圧回路のスイッチング素子のオン時間若しくはオンデューティ比を所定量増加させる一方、前記電力変換部において入力電流制限が行われていないと判定手段が判定すると一の昇圧回路のスイッチング素子のオン時間若しくはオンデューティ比を所定量減少させるよう、制御部を構成することができる。判定手段による上記判定は、一の昇圧回路のスイッチング素子のオン時間若しくはオンデューティ比を増減させた後、所定時間（例えば数１０ミリ秒）経過後に行うことが好ましく、これによれば、オン時間若しくはオンデューティ比の増減直後の応答遅れ等に起因する電圧及び電流の不安定な状態に基づいて判定されてしまうことを回避できる。
【００１４】
上記本発明の太陽光発電システム用昇圧接続装置において、該昇圧接続回路の出力電圧を検出する出力電圧センサと、前記昇圧接続回路の出力電流を検出する出力電流センサとをさらに備え、前記判定手段は、前記出力電圧センサが検出する出力電圧に変動があるが前記出力電流センサが検出する出力電流に変動がないときに前記電力変換部が入力電流制限を行っていると判定するものとすることができる（請求項２）。これによれば、昇圧接続装置単独で入力電流制限状態であるか否かを判定することができる。
【００１５】
また、上記本発明の太陽光発電システム用昇圧接続装置において、前記判定手段は、前記電力変換部の動作を制御する制御部との通信によって取得した情報に基づいて前記電力変換部が入力電流制限を行っているか否かを判定するものであってもよい（請求項３）。これによれば、入力電流制限制御を行っている電力変換部の制御部からの情報に基づいて判定するので、入力電流制限状態か否かを正確に判定することができる。
【００１６】
なお、上記本発明の太陽光発電システム用昇圧接続装置は、上記電力変換装置に内蔵することもできる。また、本発明において、上記各昇圧回路としては、昇圧動作停止時に入力電圧をスルーして出力するもの、例えば、昇圧チョッパ回路や、一次側巻線数と二次側巻線数の等しいトランスを有する絶縁型フライバックコンバーターなどを好適に用いることができる。
【発明の効果】
【００１７】
本発明の請求項１に係る太陽光発電システム用昇圧接続装置によれば、前記一の昇圧回路は、通常動作時には昇圧動作停止して、対応する発電部からの入力電力を昇圧させずに電力変換部に出力するので、出力電圧の高い発電部の発電電力を昇圧させることによる損失がなく、電力効率を可及的に高く維持することができる。一方、制御部の判定手段が、電力変換部において入力電流制限が行われていると判定したときは、前記一の昇圧回路の昇圧動作を開始させる。一の昇圧回路が昇圧動作されると、昇圧接続装置の出力電力のＩ−Ｖ特性が変化して最大電力点の電圧が上昇するとともに最大電力点の電流が減少し、電力変換部の許容入力電流においても昇圧動作前よりも大きな発電電力を得ることができる。
【００１８】
本発明の請求項２に係る太陽光発電システム用昇圧接続装置によれば、昇圧接続装置単独で入力電流制限状態であるか否かを判定することができる。
【００１９】
本発明の請求項３に係る太陽光発電システム用昇圧接続装置によれば、入力電流制限制御を行っている電力変換部の制御部からの情報に基づいて判定するので、入力電流制限状態か否かを正確に判定することができる。
【図面の簡単な説明】
【００２０】
【図１】本発明の一実施形態に係る昇圧接続装置を備える太陽光発電システムの概略回路ブロック図である。
【図２】同昇圧接続回路の作用説明図である。
【図３】パワーコンディショナの入力電力のＩ−Ｖ特性の変化を説明するための特性グラフである。
【発明を実施するための形態】
【００２１】
以下、本発明の好適な実施形態を図面を参照しつつ説明する。
【００２２】
図１は、本発明の一実施形態に係る太陽光発電システムを示しており、太陽光発電システムは、第１〜第３の３つの太陽電池ストリング１，２，３（太陽光発電部）と、該複数の太陽電池ストリング１，２，３が接続されてこれら太陽電池ストリング１，２，３の発電電力を集電して共通の出力部４から出力する昇圧接続装置５と、該昇圧接続装置５の出力部４から出力される発電電力を入力するパワーコンディショナ６（電力変換部）とから主構成されている。
【００２３】
パワーコンディショナ６は、昇圧接続装置５から入力した発電電力を系統電圧に対応する所定電圧に昇圧させるコンバータ７と、該コンバータ７によって昇圧された発電電力を系統電力に系統連系する交流電力に変換するインバータ８とから主構成され、該インバータ８の出力が系統に接続されている。コンバータ７は、一般的には、スイッチング素子のオンデューティ比を変化させることにより昇圧比を制御可能な昇圧チョッパ回路により構成される。インバータ８は、一般的には、フルブリッジ形の電圧形ブリッジインバータであり、４つのＩＧＢＴなどのスイッチング素子をＨブリッジ形に接続するとともに各スイッチング素子に帰還ダイオードを並列接続することにより構成され、いわゆる電流モード制御（電圧形インバータの電流制御）を行うことによって出力電流が制御されて、交流電力を出力する。コンバータ７の入力側には、入力電圧を検出するための入力電圧センサ９と、入力電流を検出するための入力電流センサ１０とが設けられており、これらセンサ９，１０の検出信号は制御部１１に入力されている。コンバータ７及びインバータ８の動作は制御部１１からの制御信号によって制御され、特に本実施形態では、上記センサ９，１０によって検出された入力電圧検出値及び入力電流検出値を参照しつつ、山登り法などの従来公知のＭＰＰＴ制御によってコンバータ７の入力電力が最大となるように入力電圧目標値を定め、入力電圧目標値と入力電圧検出値との差分に基づいて入力電流目標値を算出し、算出された入力電流目標値となるようにコンバータ７のスイッチング素子のオンデューティ比を制御するように構成している。また、コンバータ７を構成する回路部品などのハードウェア構成上の理由により、コンバータ７の入力電流目標値には上限閾値を設けており、コンバータ７の入力電流が所定の上限閾値（例えば、１８Ａ）を超えないように入力電流制限を行うように制御構成している。
【００２４】
各太陽電池ストリング１，２，３は、複数の太陽光パネルを直列に接続してなり、本実施形態では、例えば、第１の太陽電池ストリング１の最大出力は１２３０Ｗ、最大出力動作電圧は１４８．８Ｖ、最大出力動作電流は８．２６Ａとされ、第２・第３の太陽電池ストリング２，３の最大出力は８２０Ｗ、最大出力動作電圧は９９．２Ｖ、最大出力動作電流は８．２６Ａとされている。
【００２５】
昇圧接続装置５は、第１の太陽電池ストリング１から入力する発電電力を昇圧する第１の昇圧回路５１と、第２の太陽電池ストリング２から入力する発電電力を昇圧する第２の昇圧回路５２と、第３の太陽電池ストリング３から入力する発電電力を昇圧する第３の昇圧回路５３と、制御部５４とから主構成されている。第１〜第３の昇圧回路５１，５２，５３の出力側は出力部４に並列に接続されており、出力部４にはキャパシタ４１（平滑コンデンサ）が設けられている。また、第２・第３の昇圧回路５２，５３の入力側には、第２・第３の太陽電池ストリング２，３からの入力電圧を検出するための入力電圧センサ１２及び入力電流を検出するための入力電流センサ１３が設けられており、出力部４には上記キャパシタ４１の両端電圧（出力部４の出力電圧）を検出するための出力電圧センサ１４及び出力電流センサ１５が設けられている。これらセンサ１２，１３，１４，１５は上記制御部５４に接続されて、それぞれの検出値が制御部５４に入力されるように構成されている。制御部５４は、出力部４の出力電圧センサ１４及び出力電流センサ１５の検出値に基づいて、出力部４からパワーコンディショナ６に出力される電力を算出するとともに、単位時間あたりの出力電圧検出値の変動量に対する出力電流検出値の変動量を監視して、出力電圧検出値に変動があるにもかかわらず出力電流検出値に所定の閾値を超える変動が無いときに、パワーコンディショナ６が入力電流制限を行っていると判定する判定回路若しくは判定プログラム（判定手段）を備えている。なお、上記判定は、その直前に取得した複数の出力電流検出値の平均値に基づいて行うことが好ましく、これにより、パワーコンディショナ６のコンバータ７のＭＰＰＴ制御による電圧及び電流の揺らぎを吸収して、より的確に入力電流制限状態であるか否かを判定できる。
【００２６】
第１〜第３の昇圧回路５１，５２，５３は、それぞれ従来公知の適宜の昇圧回路構成とすることができ、具体的には制御部５４から各昇圧回路５１，５２，５３に出力される制御信号によってスイッチング素子のオンデューティ比を変化させることにより昇圧比を制御可能な従来周知の昇圧チョッパ回路によって構成できる。
【００２７】
本実施形態では、最大出力動作電圧の最も大きい第１の太陽電池ストリング１に対応する第１の昇圧回路５１（一の昇圧回路）の昇圧制御方法と、第２・第３の昇圧回路５２，５３（他の昇圧回路）の昇圧制御方法とが、異なるものとされている。第２・第３の昇圧回路５２，５３の昇圧制御方法としては、従来公知のＭＰＰＴ制御が採用されており、上記センサ１２，１３によって検出された入力電圧検出値及び入力電流検出値を参照しつつ、山登り法などの従来公知のＭＰＰＴ制御によって各昇圧回路５２，５３の入力電力が最大となるように入力電圧目標値を定め、入力電圧目標値と入力電圧検出値との差分に基づいて入力電流目標値を算出し、算出された入力電流目標値となるように各昇圧回路５２，５３のスイッチング素子のオンデューティ比を制御するように構成している。
【００２８】
次に、第１の昇圧回路５１の昇圧制御方法について説明すると、日照量が比較的少なく、パワーコンディショナ６の入力電力が最大電力点付近で動作しているときのパワーコンディショナ６の入力電流が上限閾値である１８Ａ未満であるときは、昇圧接続装置５の出力電圧が変動するとＩ−Ｖ特性曲線に沿って出力電流も変動するため、制御部５４（判定手段）はパワーコンディショナ６において入力電流制限が行われているとは判定せず、第１の昇圧回路５１のスイッチング素子を常時オフ（オン時間０）として、昇圧動作を停止させて、第１の太陽電池ストリング１の出力を昇圧させずに出力部４を介してパワーコンディショナ６に出力する。
【００２９】
一方、年間を通じて太陽電池が最大の発電電力を出力するとき、図３を参照して既に説明したように、パワーコンディショナ６の入力電力のＩ−Ｖ特性曲線の最大電力点における電流が上限閾値である１８Ａを超えると、パワーコンディショナ６のコンバータ７のＭＰＰＴ制御における目標入力電流値が１８Ａに制限されて昇圧接続装置５の出力電流も１８Ａで制限され、図３の点Ａのポイント付近で停滞する。かかる入力電流制限状態では、コンバータ７や第２・第３の昇圧回路５２，５３のスイッチングタイミングや瞬間通過電力のバランス等によって昇圧接続装置５の出力電圧が増減してもその出力電流が１８Ａのまま変動しないことがあり、制御部５４がかかる状態を検出するとパワーコンディショナ６において入力電流制限が行われていると判定して、第１の昇圧回路５１のスイッチング素子のオン時間を所定の微少量増加させて昇圧動作を開始させる。すると、図３の点Ａ−点Ｂ間を拡大して示す図２に示すように、コンバータ７の入力電力のＩ−Ｖ特性曲線が僅かに変化し、昇圧動作開始前の点Ａと同電力の点Ｃ１の電圧は点Ａの電圧よりΔＶだけ上昇するとともに点Ｃ１の電流は点Ａの電流よりΔＡだけ減少する。一方、コンバータ７のＭＰＰＴ制御では、変化後のＩ−Ｖ特性曲線に沿って電力が最大となるように入力電流及び入力電圧を制御するため、数ミリ秒〜数十ミリ秒後に、コンバータ７のＭＰＰＴ制御により変化後のＩ−Ｖ特性曲線と入力電流上限閾値ラインとが交差する点Ｂ１に電流及び電圧が収束して、再度入力電流制限状態となる。再度入力電流制限状態となったと制御部５４が判定すると、同様に第１の昇圧回路５１のスイッチング素子のオン時間を所定の微少量増加させていくことで、点Ｃ２−点Ｂ２−点Ｃ３・・・・・と徐々にコンバータ７の入力電圧（昇圧接続装置５の出力電圧）が昇圧されていき、最大電力点の電流が１８Ａ（上限閾値）となるＩ−Ｖ特性曲線と上限閾値ラインとが交差する点Ｂ（点Ｂは最大電力点）の近傍まで昇圧される。
【００３０】
点Ｂの近傍で入力電流制限状態となってさらに第１の昇圧回路５１のスイッチング素子のオン時間を所定の微少量増加させると、その変化後のＩ−Ｖ特性曲線と上限閾値ラインとの交差点の電圧が、変化前のＩ−Ｖ特性曲線と上限閾値ラインとの交差点Ｂの電圧よりも低くなり、このときの最大電力点の電流は上限閾値である１８Ａよりも小さくなるため、かかる状態ではコンバータ７は入力電流制限を行わず、したがって昇圧接続回路５の制御部５４は入力電流制限状態では無いと判定する。また、日照量が減少してそのときのＩ−Ｖ特性曲線における最大電力点の電流が上限閾値である１８Ａよりも小さくなったときも、制御部５４は入力電流制限状態では無いと判定する。入力電流制限状態ではないと判定したとき、制御部５４は、第１の昇圧回路５１のスイッチング素子のオン時間を所定の微少量減少させていくことにより、その昇圧量を徐々に小さくしていくように制御構成されている。なお、第１の昇圧回路５１のスイッチング素子のオン時間が０まで減少されると自然に昇圧動作が停止されることとなる。
【００３１】
なお、上記した第１の昇圧回路５１のスイッチング素子のオン時間を増減させる制御速度は、コンバータ７のＭＰＰＴ制御における制御速度よりも十分遅くし、第１の昇圧回路５１のスイッチング素子のオン時間を増減させた直後にコンバータ７の入力電圧及び入力電流がコンバータ７のＭＰＰＴ制御により安定するまで第１の昇圧回路５１のスイッチング素子のオン時間の増減を行わないようにすることが好ましい。
【００３２】
本実施形態の作用について以下説明する。上述したように第１の昇圧回路５１を昇圧させない場合には点Ａにおいて２７３６Ｗの発電出力となるが、本実施形態によれば、仮に点Ｂの電圧をｘＶ、昇圧効率９８％であるとすると、第１〜第３の昇圧回路５１の総出力電流は（１２３０Ｗ／ｘ）×９８％＋（８２０Ｗ／ｘ）×９８％＝１８Ａ、したがってｘ＝１５６．３Ｖとなり、１５６．３Ｖ×１８Ａ＝２８１３Ｗの総発電出力が得られ、約７７Ｗの出力向上が達成できる。
【００３３】
本発明は上記各実施形態に限定されるものではなく、適宜設計変更可能である。例えば、上記実施形態では昇圧接続装置５の制御部５４における入力電流制限状態の判定を昇圧接続装置５の出力電流及び出力電圧の変動状態に基づいて行ったが、パワーコンディショナ６の制御部１１と昇圧接続装置５の制御部５４とを通信接続して、パワーコンディショナ６の制御部１１が入力電流制限を行っているか否かを示す判定信号を昇圧接続装置５の制御部５４に出力するように構成し、昇圧接続装置５の制御部５４が上記判定信号（通信によって取得した情報）に基づいてパワーコンディショナ６が入力電流制限を行っているか否かを判定するように構成することもできる。また、接続されるパワーコンディショナ６の許容入力電流が判明している場合には、昇圧接続装置５の出力電流がパワーコンディショナ６の許容入力電流に達しているか否かに基づいて、パワーコンディショナ６が入力電流制限を行っているか否かを判定することもできる。
【００３４】
また、上記実施形態では、昇圧接続装置５の第１の昇圧回路５１の昇圧動作の開始後、徐々に昇圧量を増減させるように昇圧制御したが、第１の昇圧回路５１のスイッチング素子のオン時間を比較的大きく増減させてもよい。また、当該オン時間の増減制御を、パワーコンディショナ６が入力電流制限状態であるか否かのみに基づいて行ったが、オン時間を増減させることによって昇圧接続装置５の出力電力が増減したか否かにも基づいて行うこともできる。すなわち、オン時間を増加させた前後で出力電力が増加していない若しくは減少した場合には、入力電流制限状態であると判定している場合でもオン時間を減少させてもよい。
【符号の説明】
【００３５】
１  太陽光発電部
２  太陽光発電部
３  太陽光発電部
５  昇圧接続装置
５１  一の昇圧回路
５２  他の昇圧回路
５３  他の昇圧回路
５４  制御部
６  電力変換部
１４  出力電圧センサ
１５  出力電流センサ
【図１】
2016025804.tif 000003
【図２】
2016025804.tif 000004
【図３】
2016025804.tif 000005